(57)【要約】【課題】希望商品を探すのに要する情報検索者の労力を軽減するとともに、希望商品を探すのに要する時間を短縮する。【解決手段】情報提供者の店で取り扱われている各商品の在庫状況を示す在庫情報、情報提供者の店の内部構造を示す店内見取り図情報、および、情報提供者の店で取り扱われている各商品の陳列位置を示す陳列位置情報を登録する記憶部１６と、情報収集端末装置３０ａとの間で通信を行う通信部１４と、情報収集端末装置からの情報検索者が欲する希望商品を特定する希望商品特定情報の受信に応答して、記憶部から在庫情報を読み出し、読み出した在庫情報の中から情報検索者が欲する希望商品を検索し、希望商品の在庫が有る場合に、記憶部から店内見取り図情報および希望商品の陳列位置情報を読み出して、通信部を介して、情報収集端末装置に送信する情報提供部１２とを有する。【選択図】図１
2007084283.tif 000002
【特許請求の範囲】
【請求項１】
各種の情報を、情報検索者によって所持される情報収集端末装置に提供する情報提供装置において、
情報提供者の店で取り扱われている各商品の在庫状況を示す在庫情報、情報提供者の店の内部構造を示す店内見取り図情報、および、情報提供者の店で取り扱われている各商品の陳列位置を示す陳列位置情報を登録する記憶部と、
前記情報収集端末装置との間で通信を行う通信部と、
前記情報収集端末装置からの情報検索者が欲する希望商品を特定する希望商品特定情報の受信に応答して、前記記憶部から前記在庫情報を読み出し、読み出した前記在庫情報の中から前記希望商品を検索し、当該希望商品の在庫が有る場合に、前記記憶部から前記店内見取り図情報および当該希望商品の前記陳列位置情報を読み出して、前記通信部を介して、前記情報収集端末装置に送信する情報提供部とを有する
ことを特徴とする情報提供装置。
【請求項２】
請求項１に記載の情報提供装置において、
前記情報提供部は、前記通信部を介して前記情報収集端末装置から前記情報収集端末装置の位置情報を受信した場合に、受信した当該位置情報に基づいて、情報検索者を前記希望商品の陳列位置まで誘導するガイダンス情報を作成し、前記通信部を介して当該ガイダンス情報を前記情報収集端末装置に送信する
ことを特徴とする情報提供装置。
【請求項３】
請求項２に記載の情報提供装置において、
前記情報提供部は、情報検索者が前記希望商品の陳列位置とは異なるフロアにいる場合に、フロア間の移動手段を介して情報検索者を前記希望商品の陳列位置まで誘導するガイダンス情報を作成し、前記通信部を介して当該ガイダンス情報を前記情報収集端末装置に送信する
ことを特徴とする情報提供装置。
【請求項４】
情報検索者によって所持され、かつ、各種の情報を情報提供装置から収集する情報収集端末装置において、
前記情報提供装置との間で通信を行う通信部と、
情報検索者が欲する希望商品を特定する希望商品特定情報を登録する記憶部と、
外部装置からの情報提供者のネットワークアドレスの受信に応答して、当該情報提供者のネットワークアドレスに基づいて前記情報提供装置にアクセスした後、前記記憶部から前記希望商品特定情報を読み出して前記情報提供装置に送信することにより、前記希望商品の在庫を前記情報提供装置に検索させて、前記希望商品の在庫が有る場合に、前記通信部を介して、前記情報提供装置から店内見取り図情報および前記希望商品の陳列位置情報を収集する情報収集部と、
前記情報収集部により収集された前記店内見取り図情報および前記希望商品の前記陳列位置情報に基づいて、店内見取り図および前記希望商品の陳列位置を表示する表示部とを有する
ことを特徴とする情報収集端末装置。
【請求項５】
請求項４に記載の情報収集端末装置において、
さらに、店内に設置された無線ＩＣタグから送信される位置情報を取得する位置情報取得部を有し、
前記情報収集部は、前記位置情報取得部により取得された前記位置情報を、前記通信部を介して前記情報提供装置に送信する
ことを特徴とする情報収集端末装置。
【請求項６】
請求項４に記載の情報収集端末装置において、
前記情報収集部は、前記通信部を介して、前記情報提供装置から、情報検索者を前記希望商品の陳列位置まで誘導するガイダンス情報を受信し、受信した当該ガイダンス情報を前記表示部に表示する
ことを特徴とする情報収集端末装置。
【請求項７】
請求項６に記載の情報収集端末装置において、
前記情報収集部は、情報検索者が前記希望商品の陳列位置とは異なるフロアにいる場合に、前記通信部を介して、前記情報提供装置から、フロア間の移動手段を介して情報検索者を前記希望商品の陳列位置まで誘導するガイダンス情報を受信し、受信した当該ガイダンス情報を前記表示部に表示する
ことを特徴とする情報収集端末装置。
【請求項８】
請求項４に記載の情報収集端末装置において、
さらに、当該情報収集端末装置の動きを検出する動き検出部を有し、
前記情報収集部は、前記動き検出部によって一定間隔の移動が検出された場合に、前記店内見取り図情報および前記希望商品の前記陳列位置情報の送信を要求する要求情報を前記情報提供装置に送信する
ことを特徴とする情報収集端末装置。
【請求項９】
請求項４に記載の情報収集端末装置において、
当該情報収集端末装置の現在位置を検出する位置検出部と、
情報の送信電力を小電力または大電力に切り替える電力切替部とを有し、
前記電力切替部は、前記位置検出部によって検出した当該情報収集端末装置の現在位置が店内である場合に、情報の送信電力を小電力に切り替え、前記位置検出部によって検出した当該情報収集端末装置の現在位置が店外である場合に、情報の送信電力を大電力に切り替える
ことを特徴とする情報収集端末装置。
【発明の詳細な説明】
【技術分野】
【０００１】
この発明は、情報検索者が欲する情報を情報検索者に提供する情報提供装置、および、情報検索者が欲する情報を情報提供装置から収集する情報収集端末装置に関する。
【背景技術】
【０００２】
この種の情報提供装置および情報収集端末装置として、以下の構成のものが提案されている（例えば、特許文献１参照）。
【０００３】
図１３は、情報提供装置と情報収集端末装置とを組み合わせた、従来例のシステムの構成図である。
【０００４】
図１３に示すように、従来例のシステムは、情報提供装置１０と情報提供者アドレス出力装置（以下、アドレス出力装置と称する）２０と情報収集端末装置（以下、情報端末と称する）３０と基地局６０とネットワーク７０とを有している。なお、ここでは、以下の場面を例にして、従来例のシステムの構成につき説明する。すなわち、情報検索者（以下、情報端末３０のユーザと称する場合もある）は、「Ａ社研究開発２月号」というタイトルの雑誌を欲している。他方、「○△書店」という名称の書籍販売業者は、情報検索者が欲する商品（以下、希望商品と称する）である「Ａ社研究開発２月号」というタイトルの雑誌を、在庫として持っている。そこで、この書籍販売業者は、「Ａ社研究開発２月号」というタイトルの雑誌を在庫として有している旨の情報を情報提供装置１０に登録し、この情報提供装置１０を介して、その情報を情報検索者の情報端末３０に送信する。これにより、この書籍販売業者は、情報検索者が欲する情報（すなわち、「Ａ社研究開発２月号」を在庫として持つ書籍販売業者に関する情報）を情報検索者に提供する。以下、この書籍販売業者を情報提供者と称する場合もある。
【０００５】
情報提供装置１０は、情報検索者が欲する情報を情報検索者に提供する装置である。情報提供装置１０は、例えば、各種の情報を管理する情報管理センタに設置されたサーバによって構成される。そこで、以下、情報提供装置１０をサーバ１０と称する。
【０００６】
サーバ１０は、制御部１２と通信部１４と記憶部１６とを有している。制御部１２は、サーバ１０内の各部を制御したり、各種の処理を実行する機能手段である。この制御部１２は、情報検索者が欲する情報を情報検索者の情報端末３０に提供する情報提供部として機能する。通信部１４は、有線または無線により、ネットワーク７０と基地局６０とを介して、情報端末３０、その他と通信を行う機能手段である。記憶部１６は、各種の情報を記憶する機能手段である。記憶部１６は、ハードディスクドライブ装置（ＨＤＤ）やランダムアクセスメモリ（ＲＡＭ）などによって構成される。記憶部１６は、情報提供者（図１３に示す例では、「○△書店」という名称の書籍販売業者）の店で取り扱われている各商品の在庫状況を管理するテーブル情報（以下、在庫テーブル情報）を登録している。
【０００７】
アドレス出力装置２０は、情報提供者のネットワークアドレスコード（以下、単にネットワークアドレスまたはアドレスと称する）を後述の記憶部（ＲＯＭ）２８に予め登録しており、そのネットワークアドレスを情報端末３０に送信する、非接触式のデータキャリアである。アドレス出力装置２０は、街中の、様々な場所に設置される。なお、非接触式のデータキャリアの種類としては、ＲＦＩＤ（Radio frequency identification：無線ＩＣタグ）やＺｉｇＢｅｅ無線ノードなどがある。アドレス出力装置２０は、電池が不要で、かつ、通信距離が比較的長いことが好ましい。そこで、このような特性が得られるように、アドレス出力装置２０は、好ましくは、ＵＨＦ帯域を使用するＲＦＩＤとして構成するとよい。
【０００８】
アドレス出力装置２０は、送受信アンテナ２２と整流電圧制御回路２３とＩＣチップ２４とを有している。送受信アンテナ２２は、情報端末３０との間で、各種の情報（例えば、情報提供者のネットワークアドレス）を送受信する。整流電圧制御回路２３は、情報端末３０から送信される駆動信号により電源電圧を生成してＩＣチップ２４に供給し、ＩＣチップ２４を活性化する。ＩＣチップ２４は、各種の処理、例えば、情報提供者のネットワークアドレスの情報端末３０への送信処理などを実行する。なお、ＩＣチップ２４は、内部に制御部２５と変調回路２６と記憶部２８を有している。制御部２５は、アドレス出力装置２０の各部の制御や、各種の処理を行う機能手段である。変調回路２６は、情報提供者のネットワークアドレスを予め定められた帯域の電波信号に変換する機能手段である。記憶部２８は、例えば情報提供者のネットワークアドレスやその他の情報を登録する機能手段である。記憶部２８は、リードオンリメモリ（ＲＯＭ）によって構成される。
【０００９】
情報端末３０は、情報検索者が欲する情報をサーバ１０から収集する装置である。情報端末３０は、情報検索者によって所持され、情報検索者の操作に応じて周囲に設置されているアドレス出力装置２０に駆動信号を送信する。アドレス出力装置２０は、駆動信号を受信すると、この受信に応答して、電源電圧を生成して、ＩＣチップ２４を活性化する。これにより、アドレス出力装置２０は、記憶部２８に予め登録されている情報提供者のネットワークアドレスを情報端末３０に送信する。情報端末３０は、アドレス出力装置２０から情報提供者のネットワークアドレスを受信すると、そのアドレスに基づいて、周囲の基地局６０およびネットワーク７０を介して、サーバ１０にアクセスして、情報検索者の希望商品に関するキーワードをサーバ１０に送信する。この希望商品に関するキーワードは、情報提供者の店における情報検索者の希望商品の在庫状況をサーバ１０に検索させるための、希望商品特定情報として、用いられる。
【００１０】
なお、基地局６０は、サーバ１０と情報端末３０との間の通信を中継する装置である。基地局６０は、ネットワーク７０を介してサーバ１０に通信可能に接続されているとともに、無線または有線で情報端末３０に通信可能に接続される。サーバ１０の制御部１２は、情報端末３０からキーワードを受信すると、この受信に応答して、記憶部１６に予め登録されている在庫情報の中から、情報検索者の希望商品を検索する。検索結果において、情報検索者の希望商品が有る場合に、サーバ１０の制御部１２は、通信部１４を介して、情報提供者が情報検索者の希望商品を在庫として有している旨の情報を作成して、情報端末３０に送信する。これにより、サーバ１０は、情報検索者が欲する情報を最適なタイミングで自動的に情報検索者に提供する。
【００１１】
図１４は、情報端末の内部ブロック図である。
【００１２】
図１４に示すように、情報端末３０は、ＩＣチップ３２と入力部３４と表示部３６と送受信アンテナ３８とを有している。
【００１３】
上述のＩＣチップ３２は、制御部４２と通知部４４と記憶部４６と通信部４８とアドレス取得部５０とを有している。制御部４２は、情報端末３０内の各部を制御したり、各種の処理を実行する機能手段である。制御部４２は、サーバ１０にアクセスして、サーバ１０から情報検索者が欲する情報を収集する、情報収集部として機能する。この制御部４２は、時間を測定するタイマー機能を有している。通知部４４は、外部から各種の情報を取得したことを情報検索者に通知する機能手段である。通知部４４は、ブザーやバイブレータによって構成される。記憶部４６は、各種の情報を保存する機能手段である。記憶部４６は、ＲＡＭによって構成される。記憶部４６は、内部に、情報検索者の希望商品に関するキーワードや、このキーワードに基づく検索（以下、キーワード検索と称する）の結果、各種のコンテンツなどを保存する、情報コンテンツ保存領域４７ａが設けられており、ここに、これらを保存する。通信部４８は、インターネットなどのネットワーク７０に接続する機能手段である。通信部４８は、ＰＨＳや、携帯電話機、無線ＬＡＮカード、通信ケーブルなどの送受信部８０が接続され、これらを介して、ネットワーク７０に接続する。アドレス取得部５０は、アドレス出力装置２０から情報提供者のアドレスを取得する機能手段である。アドレス取得部５０は、測定時間の設定および解除が可能なタイマー５１や、タイミング信号を生成する発振器５２、周囲のアドレス出力装置２０に電力を送信する電力送信回路５４、受信したＵＨＦ帯域の電波信号から情報を復調する入力データ復調回路５６、情報をシリアル信号からパラレル信号に変換するシリアル−パラレル変換回路（以下、Ｓ／Ｐ変換回路と称する）５８などを有している。アドレス取得部５０は、アドレス出力装置２０のコントローラとなっている。
【００１４】
上述の入力部３４は、各種の情報を情報端末３０内に取り入れる機能手段である。入力部３４は、キーボードやタブレットによって構成されている。
【００１５】
上述の表示部３６は、各種の情報を表示する機能手段である。表示部３６は、ＬＣＤなどのディスプレイによって構成されている。
【００１６】
上述の送受信アンテナ３８は、各種の情報を電波信号として外部に送信する機能手段または外部から受信する機能手段である。
【００１７】
以下に、従来例のシステムの動作につき説明する。
【００１８】
まず、情報提供者（ここでは、「○△書店」という名称の書籍販売業者）は、取り扱っている商品の在庫情報をサーバ１０に登録する。また、情報提供者は、情報提供者のネットワークアドレスを登録しているアドレス出力装置２０を、店頭の看板や幟（のぼり）などに設置する。
【００１９】
次に、情報検索者は、入力部３４から希望商品に関するキーワード（ここでは、「Ａ社研究開発２月号」）を情報端末３０に入力し、その情報端末３０を携帯して、街中を通行する。
【００２０】
このとき、情報端末３０の発振器５２は、一定の間隔でタイミング信号を生成し、制御部４２は、そのタイミング信号に基づいてアドレス取得部５０を駆動する。
【００２１】
これに応答して、アドレス取得部５０は、電力送信回路５４を駆動させてＵＨＦ帯域の駆動信号を生成して、周囲のアドレス出力装置２０に送信する。これにより、アドレス取得部５０は、周囲のアドレス出力装置２０に電力を送信する。この送信に応答して、アドレス取得部５０は、周囲のアドレス出力装置２０から情報提供者のネットワークアドレスが送信されてくるまで、待機状態となる。なお、このとき、アドレス取得部５０は、タイマー５１を始動させて時間を測定する。そして、アドレス取得部５０は、予め設定しておいた一定期間、周囲のアドレス出力装置２０から情報提供者のネットワークアドレスが送信されてこない場合に、タイマー５１がオフとなって、待機状態を解除する。この解除に応答して、アドレス取得部５０は、再び、電力送信回路５４を駆動させてＵＨＦ帯域の駆動信号を生成して、周囲のアドレス出力装置２０に送信する。
【００２２】
以後、アドレス取得部５０は、周囲のアドレス出力装置２０から情報提供者のネットワークアドレスが送信されてくるまで、同様の動作を繰り返す。
【００２３】
アドレス出力装置２０は、店頭の看板の下や幟の上部などに設置されている。アドレス出力装置２０は、送受信アンテナ２２を介して情報端末３０からＵＨＦ帯域の駆動信号を受信する。この受信に応答して、アドレス出力装置２０の整流電圧制御回路２３は、駆動信号により電源電圧を生成してＩＣチップ２４に供給し、ＩＣチップ２４を活性化する。なお、アドレス出力装置２０は、情報端末３０から送信される駆動信号により電源電圧を生成してＩＣチップ２４を駆動するため、電池を持たない構成となっている。
【００２４】
アドレス出力装置２０のＩＣチップ２４は、供給される電源電圧が安定すると、チップ内の制御部２５からの指令により、記憶部２８に予め登録されている情報提供者のネットワークアドレスを読み出し、これをＵＨＦ帯域の電波信号に変調し、送受信アンテナ２２を介して情報端末３０に送信する。なお、情報提供者のネットワークアドレスは、ネットワーク７０としてインターネットを利用する場合に、ＩＰアドレスやドメイン名となる。
【００２５】
情報端末３０は、送受信アンテナ３８を介してアドレス出力装置２０から送信されたＵＨＦ帯域の電波信号を受信する。この受信に応答して、情報端末３０のアドレス取得部５０は、入力データ復調回路５６とＳ／Ｐ変換回路５８とによって、受信したＵＨＦ帯域の電波信号を復調して情報提供者のネットワークアドレスを取得し、取得した情報提供者のネットワークアドレスを制御部４２に出力する。
【００２６】
これに応答して、情報端末３０の制御部４２は、情報提供者のネットワークアドレスを記憶部４６の情報コンテンツ保存領域４７ａに格納するとともに、動作停止信号をアドレス取得部５０に出力する。これに応答して、アドレス取得部５０は、タイマー５１を始動して、予め設定しておいた一定期間、待機状態となる。
【００２７】
一方、情報端末３０は、その制御部４２によって、情報提供者のネットワークアドレスに基づいて、通信部４８と基地局６０とネットワーク７０とを介して、サーバ１０にアクセスする。このとき、サーバ１０の制御部１２は、情報提供者のネットワークアドレスに基づいて、記憶部１６に予め登録されている情報提供者の在庫情報を読み出すことになる。
【００２８】
情報端末３０の制御部４２は、サーバ１０にアクセスすると、情報提供者の希望商品に関するキーワード（ここでは、「Ａ社研究開発２月号」）を記憶部４６から読み出してサーバ１０に送信し、これにより、キーワード検索をサーバ１０に指示する。なお、このとき、制御部４２は、内部タイマーを用いて時間を測定し、一定期間が経過するまで、または、サーバ１０からキーワード検索の結果を受信するまで、待機状態となる。
【００２９】
サーバ１０は、情報端末３０から情報提供者の希望商品に関するキーワードを受信すると、キーワード検索を行う。このとき、サーバ１０の制御部１２は、情報提供者のネットワークアドレスに基づいて、記憶部１６に予め登録されている情報提供者の在庫情報を読み出し、読み出した情報提供者の在庫情報の中から、情報提供者の希望商品に関するキーワード（すなわち、「Ａ社研究開発２月号」）に一致する情報を検索する。
【００３０】
キーワード検索で一致する情報が有ると判断された場合に、サーバ１０の制御部１２は、ネットワーク７０と基地局６０とを介して、キーワード検索の結果を情報端末３０の制御部４２に送信する。
【００３１】
この場合に、情報端末３０側では、制御部４２は、サーバ１０からキーワード検索の結果を受信する。この受信に応答して、制御部４２は、待機状態を解除して、受信したキーワード検索の結果を記憶部４６の情報コンテンツ保存領域４７ａに格納する。
【００３２】
この格納に応答して、制御部４２は、駆動信号を通知部４４に送信して、通知部４４のブザーまたはバイブレータを駆動する。これにより、情報検索者は、サーバ１０からキーワード検索の結果を取得したことを知る。
【００３３】
そこで、情報検索者は、情報端末３０の入力部３４を操作して、キーワード検索の結果を表示部３６に表示させる指令を入力部３４から入力する。制御部４２は、入力部３４からの入力を検出する。そして、制御部４２は、その入力に応答して、記憶部４６の情報コンテンツ保存領域４７ａからキーワード検索の結果を読み出し、読み出したキーワード検索の結果に基づいて、「○△書店にＡ社研究開発２月号がある」旨の文字情報を表示部３６に表示する（図１３参照）。
【００３４】
このようにして、情報検索者は、情報端末３０の表示部３６に表示された情報から、希望商品を在庫として持っている最寄りの店に行くことができ、これにより、容易に希望商品を購入することができる。
【００３５】
他方、キーワード検索で一致する情報がないと判断された場合に、サーバ１０の制御部１２は、何もせずに、待機状態となる。
【００３６】
この場合に、情報端末３０側では、制御部４２は、内部タイマーを用いて、一定期間、待機状態を継続し、一定期間経過したら、待機状態を解除する。
【００３７】
そして、制御部４２は、前回とは異なる、他の情報提供者のアドレス出力部２０から他の情報提供者のネットワークアドレスを取得して、他の情報提供者のネットワークアドレスに基づいてサーバ１０にアクセスし、再度、サーバ１０にキーワード検索を行わせる。
【００３８】
以後、情報端末３０の制御部４２は、サーバ１０からキーワード検索の結果を受信するまで、前回と同様の動作を繰り返し行う。
【００３９】
以上の通り、情報端末３０は、最寄りの情報提供者のネットワークアドレスを自動的に取得する。そして、情報端末３０は、そのアドレスに基づいて、最寄りの情報提供者の在庫情報を対象にして、サーバ１０に、キーワード検索を行わせる。このとき、サーバ１０は、情報検索者の希望商品が情報提供者の在庫情報の中にある場合にのみ、キーワード検索の結果を情報端末３０に提供する。
【００４０】
サーバ１０と情報端末３０は、このような動作を実行することで、最適な時点で情報検索者が欲する情報を情報検索者に提供することができる。そのため、情報検索者は、秘書やガイドの役割をサーバ１０と情報端末３０とで実現することができる。
【特許文献１】特開２００１−１６７１９７号公報（段落００１０〜段落００１４、図１と図２）
【発明の開示】
【発明が解決しようとする課題】
【００４１】
しかしながら、従来例のシステムの情報提供装置と情報収集端末装置は、情報検索者が欲する希望商品の陳列位置を情報検索者に通知していない。そのため、大型量販店などのように商品の売り場が広い場所では、情報検索者は、自力で希望商品を探す必要があった。したがって、従来例のシステムの情報提供装置と情報収集端末装置は、希望商品を探すための労力を情報検索者に強いるとともに、希望商品を探すための時間を要するという課題があった。
【００４２】
なお、情報検索者は、売り場の店員に希望商品の陳列位置を調べてもらうことにより、希望商品を探すための労力を軽減することができる。しかしながら、この場合でも、希望商品を探すための時間を要するという課題は、解消することはできない。
【課題を解決するための手段】
【００４３】
前述の課題を解決するために、情報提供装置は、各種の情報を情報検索者によって所持される情報収集端末装置に提供する。この情報提供装置は、情報提供者の店で取り扱われている各商品の在庫状況を示す在庫情報、情報提供者の店の内部構造を示す店内見取り図情報、および、情報提供者の店で取り扱われている各商品の陳列位置を示す陳列位置情報を登録する記憶部と、情報収集端末装置との間で通信を行う通信部と、情報収集端末装置からの情報検索者が欲する希望商品を特定する希望商品特定情報の受信に応答して、記憶部から在庫情報を読み出し、読み出した在庫情報の中から希望商品を検索し、希望商品の在庫が有る場合に、記憶部から店内見取り図情報および希望商品の陳列位置情報を読み出して、通信部を介して、情報収集端末装置に送信する情報提供部とを有する。
【００４４】
また、情報収集端末装置は、情報検索者によって所持され、かつ、各種の情報を情報提供装置から収集する。この情報収集端末装置は、情報提供装置との間で通信を行う通信部と、情報検索者が欲する希望商品を特定する希望商品特定情報を登録する記憶部と、外部装置からの情報提供者のネットワークアドレスの受信に応答して、情報提供者のネットワークアドレスに基づいて情報提供装置にアクセスした後、記憶部から希望商品特定情報を読み出して情報提供装置に送信することにより、希望商品の在庫を情報提供装置に検索させて、希望商品の在庫が有る場合に、通信部を介して、情報提供装置から店内見取り図情報および希望商品の陳列位置情報を収集する情報収集部と、情報収集部により収集された店内見取り図情報および希望商品の陳列位置情報に基づいて、店内見取り図および希望商品の陳列位置を表示する表示部とを有する。
【発明の効果】
【００４５】
この発明の情報提供装置と情報収集端末装置によれば、希望商品を探すのに要する情報検索者の労力を軽減するとともに、希望商品を探すのに要する時間を短縮することができる。
【発明を実施するための最良の形態】
【００４６】
以下、図を参照してこの発明の実施の形態につき説明する。なお、各図は、各構成要素を、この発明を理解できる程度に、概略的に示してあるに過ぎない。よって、この発明は、図示例のみに限定されるものではない。また、各図において、共通する構成要素や同様な構成要素については、同一の符号を付し、それらの重複する説明を省略する。
【００４７】
［実施例１］
＜システムの構成＞
以下に、図１と図２を参照して、この発明が適用される情報提供装置と情報収集端末装置とを組み合わせた、実施例１のシステムの構成につき説明する。なお、図１は、実施例１のシステムの構成図である。また、図２は、実施例１の情報端末の内部ブロック図である。
【００４８】
なお、図１と図２中、従来例と同様の構成（図１３と図１４参照）については、同一の符号を付し、それらの重複する説明を省略する。また、従来例と異なる構成要素である情報提供装置（サーバ）１０ａと情報収集端末装置（情報端末）３０ａについては、従来例と異なる構成についてのみ説明し、従来例と同様の構成については説明を省略する。
【００４９】
図１に示すように、実施例１のシステムは、情報提供装置（以下、サーバと称する）１０ａと情報提供者アドレス出力装置（以下、アドレス出力装置と称する）２０と情報収集端末装置（以下、情報端末と称する）３０ａと基地局６０とネットワーク７０とを有している。なお、ここでは、従来例と同様の場面を例にして、この実施例のシステムの構成につき説明する。すなわち、情報検索者（以下、情報端末３０ａのユーザと称する場合もある）は、「Ａ社研究開発２月号」というタイトルの雑誌を欲している。他方、「○△書店」という名称の書籍販売業者（以下、情報提供者と称する場合もある。）は、情報検索者が欲する商品（以下、希望商品と称する）である「Ａ社研究開発２月号」というタイトルの雑誌を、在庫として持っている。そこで、この書籍販売業者は、「Ａ社研究開発２月号」というタイトルの雑誌を在庫として有している旨の情報を情報提供装置１０ａに登録し、この情報提供装置１０ａを介して、その情報を情報検索者の情報端末３０ａに送信する。これにより、この書籍販売業者は、情報検索者が欲する情報（すなわち、「Ａ社研究開発２月号」を在庫として持つ書籍販売業者に関する情報）を情報検索者に提供する。
【００５０】
実施例１のサーバ１０ａは、従来例のサーバ１０と同様の構成である。ただし、サーバ１０ａは、（１）各商品の陳列位置情報を、在庫テーブル情報の一情報として、記憶部１６に登録している点、（２）各情報提供者の店の内部の構成を示す見取り図の情報（以下、単に見取り図情報と称する）を記憶部１６に登録している点、（３）キーワード検索の結果を情報端末３０ａに提供する際に、キーワード検索の結果の中に、店のＩＤコード（以下、単に店ＩＤコードと称する）と希望商品の陳列位置情報とを含めている点、および、（４）キーワード検索の結果を情報端末３０ａに提供する際に、キーワード検索の結果に見取り図情報を添付する点で、従来例のサーバ１０と相違する（図１と図１３参照）。
【００５１】
実施例１の情報端末３０ａは、従来例の情報端末３０と同様の構成である。ただし、情報端末３０ａは、情報コンテンツ保存領域４７ａに加え、見取り図情報保存領域４７ｂが記憶部４６の内部に設けられている点で、従来例の情報端末３０と相違する（図２と図１４参照）。なお、見取り図情報保存領域４７ｂは、サーバ１０ａから送信されるキーワード検索の結果に添付されている見取り図情報を保存する領域である。
【００５２】
＜システムの動作＞
以下に、システムの動作につき説明する。
【００５３】
まず、情報提供者は、取り扱っている商品の在庫情報と店の内部の構造を示す見取り図情報をサーバ１０ａに登録する。また、情報提供者は、情報提供者のネットワークアドレスを登録しているアドレス出力装置２０を、店頭の看板や幟などに設置する。
【００５４】
次に、情報検索者は、入力部３４から希望商品に関するキーワード（ここでは、「Ａ社研究開発２月号」）を情報端末３０ａに入力し、その情報端末３０ａを携帯して、街中を通行する。
【００５５】
このとき、情報端末３０ａの発振器５２は、一定の間隔でタイミング信号を生成し、制御部４２は、そのタイミング信号に基づいてアドレス取得部５０を駆動する。
【００５６】
これに応答して、アドレス取得部５０は、電力送信回路５４を駆動させてＵＨＦ帯域の駆動信号を生成して、周囲のアドレス出力装置２０に送信する。これにより、アドレス取得部５０は、周囲のアドレス出力装置２０に電力を送信する。この送信に応答して、アドレス取得部５０は、周囲のアドレス出力装置２０から情報提供者のネットワークアドレスが送信されてくるまで、待機状態となる。なお、このとき、アドレス取得部５０は、タイマー５１を始動させて時間を測定する。そして、アドレス取得部５０は、予め設定しておいた一定期間、周囲のアドレス出力装置２０から情報提供者のネットワークアドレスが送信されてこない場合に、タイマー５１がオフとなって、待機状態を解除する。この解除に応答して、アドレス取得部５０は、再び、電力送信回路５４を駆動させてＵＨＦ帯域の駆動信号を生成して、周囲のアドレス出力装置２０に送信する。
【００５７】
以後、アドレス取得部５０は、周囲のアドレス出力装置２０から情報提供者のネットワークアドレスが送信されてくるまで、同様の動作を繰り返す。
【００５８】
アドレス出力装置２０は、店頭の看板の下や幟の上部などに設置されている。アドレス出力装置２０は、送受信アンテナ２２を介して情報端末３０ａからＵＨＦ帯域の駆動信号を受信する。この受信に応答して、アドレス出力装置２０の整流電圧制御回路２３は、駆動信号により電源電圧を生成してＩＣチップ２４に供給し、ＩＣチップ２４を活性化する。
【００５９】
アドレス出力装置２０のＩＣチップ２４は、供給される電源電圧が安定すると、チップ内の制御部２５からの指令により、記憶部２８に予め登録されている情報提供者のネットワークアドレスを読み出し、これをＵＨＦ帯域の電波信号に変調し、送受信アンテナ２２を介して情報端末３０ａに送信する。なお、このとき送信されるデータは、数百ビット程度の情報提供者のネットワークアドレスだけである。そのため、そのデータ量は、比較的少ない量ですむ。なお、情報提供者のネットワークアドレスは、ネットワーク７０としてインターネットを利用する場合に、ＩＰアドレスやドメイン名となる。
【００６０】
情報端末３０ａは、送受信アンテナ３８を介してアドレス出力装置２０から送信されたＵＨＦ帯域の電波信号を受信する。この受信に応答して、情報端末３０ａのアドレス取得部５０は、入力データ復調回路５６とＳ／Ｐ変換回路５８とによって、受信したＵＨＦ帯域の電波信号を復調して情報提供者のネットワークアドレスを取得し、取得した情報提供者のネットワークアドレスを制御部４２に出力する。
【００６１】
これに応答して、情報端末３０ａの制御部４２は、情報提供者のネットワークアドレスを記憶部４６の情報コンテンツ保存領域４７ａに格納するとともに、動作停止信号をアドレス取得部５０に出力する。これに応答して、アドレス取得部５０は、タイマー５１を始動して、予め設定しておいた一定期間、待機状態となる。
【００６２】
一方、情報端末３０ａは、その制御部４２によって、情報提供者のネットワークアドレスに基づいて、通信部４８と基地局６０とネットワーク７０とを介して、サーバ１０ａにアクセスする。このとき、サーバ１０ａの制御部１２は、情報提供者のネットワークアドレスに基づいて、記憶部１６に予め登録されている情報提供者の在庫情報を読み出すことになる。
【００６３】
情報端末３０ａの制御部４２は、サーバ１０ａにアクセスすると、情報提供者の希望商品に関するキーワード（ここでは、「Ａ社研究開発２月号」）を記憶部４６から読み出してサーバ１０ａに送信し、これにより、キーワード検索をサーバ１０ａに指示する。なお、このとき、制御部４２は、内部タイマーを用いて時間を測定し、一定期間が経過するまで、または、サーバ１０ａからキーワード検索の結果を受信するまで、待機状態となる。
【００６４】
サーバ１０ａは、情報端末３０ａから情報提供者の希望商品に関するキーワードを受信すると、キーワード検索を行う。このとき、サーバ１０ａの制御部１２は、情報提供者のネットワークアドレスに基づいて、記憶部１６に予め登録されている情報提供者の在庫情報を読み出し、読み出した情報提供者の在庫情報の中から、情報提供者の希望商品に関するキーワード（すなわち、「Ａ社研究開発２月号」）に一致する情報を検索する。
【００６５】
キーワード検索で一致する情報が有ると判断された場合に、サーバ１０ａの制御部１２は、情報提供者のネットワークアドレスに基づいて、記憶部１６に予め登録されている情報提供者の見取り図情報を読み出す。
【００６６】
そして、制御部１２は、ネットワーク７０と基地局６０とを介して、キーワード検索の結果と見取り図情報とを情報端末３０ａの制御部４２に送信する。
【００６７】
なお、このとき送信されるキーワード検索の結果には、店ＩＤコードと情報検索者の希望商品の陳列位置情報とが含まれている。
【００６８】
キーワード検索で一致する情報が有る場合に、情報端末３０ａ側では、情報端末３０ａの制御部４２は、サーバ１０ａからキーワード検索の結果と見取り図情報とを受信する。この受信に応答して、制御部４２は、待機状態を解除して、受信したキーワード検索の結果を記憶部４６の情報コンテンツ保存領域４７ａに格納するとともに、受信した見取り図情報を記憶部４６の見取り図情報保存領域４７ｂに格納する。
【００６９】
この格納に応答して、制御部４２は、駆動信号を通知部４４に送信して、通知部４４のブザーまたはバイブレータを駆動する。これにより、情報検索者は、サーバ１０ａからキーワード検索の結果を取得したことを知る。
【００７０】
そこで、情報検索者は、情報端末３０ａの入力部３４を操作して、キーワード検索の結果を表示部３６に表示させる指令を入力部３４から入力する。制御部４２は、入力部３４からの入力を検出する。そして、制御部４２は、その入力に応答して、記憶部４６の情報コンテンツ保存領域４７ａからキーワード検索の結果を読み出して情報検索者の希望商品の陳列位置情報を抽出するとともに、記憶部４６の見取り図情報保存領域４７ｂから見取り図情報を読み出し、読み出したキーワード検索の結果と見取り図情報とに基づいて、例えば「○△書店２階２−３棚にＡ社研究開発２月号がある」旨の文字情報と店の内部の見取り図と希望商品の陳列位置とを表示部３６に表示する（図１参照）。
【００７１】
なお、図１に示す例では、表示部３６は、画面を上下に２つに分割し、上側に文字情報を表示するとともに、下側に見取り図を表示し、さらに、見取り図の中に、希望商品の陳列位置を斜線を付した領域として表示している。
【００７２】
このようにして、情報検索者は、情報端末３０の表示部３６に表示された情報から、希望商品を在庫として持っている最寄りの店の、希望商品の陳列位置に行くことができ、これにより、従来例よりも容易に希望商品を購入することができる。
【００７３】
他方、キーワード検索で一致する情報がないと判断された場合に、サーバ１０ａの制御部１２は、何もせずに、待機状態となる。
【００７４】
この場合に、情報端末３０ａ側では、制御部４２は、内部タイマーを用いて、一定期間、待機状態を継続し、一定期間経過したら、待機状態を解除する。
【００７５】
そして、制御部４２は、前回とは異なる、他の情報提供者のアドレス出力部２０から他の情報提供者のネットワークアドレスを取得して、他の情報提供者のネットワークアドレスに基づいてサーバ１０ａにアクセスし、再度、サーバ１０ａにキーワード検索を行わせる。
【００７６】
以後、情報端末３０ａの制御部４２は、サーバ１０ａからキーワード検索の結果を受信するまで、前回と同様の動作を繰り返し行う。
【００７７】
なお、サーバ１０ａと情報端末３０ａは、一連の動作を、情報検索者が店頭を通り過ぎるまでの時間内に終了することが好ましい。これにより、サーバ１０ａと情報端末３０ａは、最適な時点で情報検索者が欲する情報を情報検索者に提供することができる。この場合は、高機能なハードを必要とせずに、情報検索者の要求を満たすことができる。
【００７８】
以上の通り、情報端末３０ａは、従来例と同様に、最寄りの情報提供者のネットワークアドレスを自動的に取得する。そして、情報端末３０ａは、そのアドレスに基づいて、最寄りの情報提供者の在庫情報を対象にして、サーバ１０ａに、キーワード検索を行わせる。このとき、サーバ１０ａは、情報検索者の希望商品が情報提供者の在庫にある場合にのみ、キーワード検索の結果を情報端末３０ａに提供する。
【００７９】
サーバ１０ａと情報端末３０ａは、このような動作を実行することで、最適な時点で情報検索者が欲する情報を情報検索者に提供することができる。そのため、情報検索者は、秘書やガイドの役割をサーバ１０ａと情報端末３０ａとで実現することができる。
【００８０】
さらに、実施例１によれば、このような作用効果に加え、各商品の陳列位置情報と情報提供者の店の内部の構造を示す見取り図情報とをサーバ１０ａの記憶部１６に予め登録しておき、情報検索者の希望商品が情報提供者の在庫にある場合に、これらの情報を、情報検索者の情報端末３０ａに提供する。そのため、実施例１によれば、例えば「○△書店２階２−３棚にＡ社研究開発２月号がある」旨の文字情報と店の内部の見取り図と希望商品の陳列位置とを表示部３６に表示させることができる。これにより、情報検索者は、大型量販店のように商品の売り場が広い場所でも、容易に、自力で希望商品を探すことができる。そのため、実施例１によれば、希望商品を探すのに要する情報検索者の労力を軽減するとともに、希望商品を探すのに要する時間を短縮することができる。
【００８１】
［実施例２］
＜システムの構成＞
以下に、図３と図４を参照して、実施例２のシステムの構成につき説明する。なお、図３は、実施例２のシステムの構成図である。また、図４は、実施例２の情報端末の内部ブロック図である。
【００８２】
なお、図３と図４中、実施例１と同様の構成（図１と図２参照）については、同一の符号を付し、それらの重複する説明を省略する。また、実施例１と異なる構成要素については、実施例１と異なる構成についてのみ説明し、実施例１と同様の構成については説明を省略する。
【００８３】
実施例２は、情報提供者の店内の任意の場所（例えば、店内に設置された複数の本棚１０２のそれぞれ）に、店内位置情報出力装置１０４を設置した構成例である。店内位置情報出力装置１０４は、店ＩＤコードと店内の位置を特定する情報（以下、店内位置情報と称する）とを情報端末３０ｂに送信する、非接触式のデータキャリアである。なお、図３に示す例では、各店内位置情報出力装置１０４は、点線によって示す各本棚１０２の上に設置されている。店内位置情報出力装置１０４の構成は、アドレス出力装置２０と同様である。ただし、店内位置情報出力装置１０４は、情報提供者のネットワークアドレスの代わりに記憶部の中に店ＩＤコードと店内位置情報とを登録しており、店ＩＤコードと店内位置情報とを情報端末３０に送信する点で、アドレス出力装置２０と相違する。
【００８４】
実施例２のサーバ１０ａは、実施例１と同様の構成である。
【００８５】
実施例２の情報端末３０ｂは、実施例１の情報端末３０ａと同様の構成である。ただし、実施例２の情報端末３０ｂは、（１）アドレス取得部５０に店内位置情報出力装置１０４から店ＩＤコードと店内位置情報とを取得する機能を持たせている点、および、（２）情報コンテンツ保存領域４７ａと見取り図情報保存領域４７ｂに加え、位置情報保存領域４７ｃが記憶部４６の内部に設けられている点で、実施例１の情報端末３０ａと相違する（図４と図２参照）。なお、位置情報保存領域４７ｃは、店内位置情報出力装置１０４から送信される店内位置情報を保存する領域である。
【００８６】
＜システムの動作＞
以下に、システムの動作につき説明する。
【００８７】
まず、情報提供者は、実施例１と同様に、取り扱っている商品の在庫情報と店の内部の構造を示す見取り図情報をサーバ１０ａに登録する。また、情報提供者は、情報提供者のネットワークアドレスを登録しているアドレス出力装置２０を、店頭の看板や幟などに設置する。
【００８８】
さらに、情報提供者は、店内位置情報を登録している店内位置情報出力装置１０４を、店内の任意の場所に、設置する。なお、店内位置情報出力装置１０４は、好ましくは、ＵＨＦ帯域を使用するＲＦＩＤとして構成するとよい。
【００８９】
一方、情報検索者は、実施例１と同様に、入力部３４から希望商品に関するキーワード（ここでは、「Ａ社研究開発２月号」）を情報端末３０ｂに入力し、その情報端末３０ｂを携帯して、街中を通行する。
【００９０】
このとき、サーバ１０ａとアドレス出力装置２０と情報端末３０ｂは、実施例１と同様に動作する。これにより、情報端末３０ｂは、サーバ１０ａから、キーワード検索の結果と見取り図情報とを取得し、例えば「○△書店２階２−３棚にＡ社研究開発２月号がある」旨の文字情報と店の内部の見取り図と希望商品の陳列位置とを表示部３６に表示する（図３参照）。なお、このとき情報端末３０ｂが取得したキーワード検索の結果には、店ＩＤコード（ＩＤｓ）と情報検索者の希望商品の陳列位置情報（Ｘｓ，Ｙｓ，Ｚｓ）とが含まれている。情報端末３０ｂの制御部４２は、店ＩＤコード（ＩＤｓ）を記憶部４６の見取り図情報保存領域４７ｂに保存し、かつ、希望商品の陳列位置情報（Ｘｓ，Ｙｓ，Ｚｓ）を記憶部４６の情報コンテンツ保存領域４７ａに保存する。また、情報端末３０ｂの制御部４２は、このとき情報端末３０ｂが取得した見取り図情報を記憶部４６の見取り図情報保存領域４７ｂに保存する。なお、店ＩＤコード（ＩＤｓ）は、店毎に異なる値に設定されているが、好ましくは、売り場のフロア毎に異なる値に設定されているとよい。
【００９１】
次に、情報検索者は、情報端末３０ｂを携帯し、表示部３６に例えば「○△書店２階２−３棚にＡ社研究開発２月号がある」旨の文字情報と店の内部の見取り図と希望商品の陳列位置とを表示させた状態で、情報提供者の店（すなわち、「○△書店」という名称の店）に入る。
【００９２】
情報検索者が店に入ると、情報端末３０ｂの発振器５２は、一定の間隔でタイミング信号を生成し、制御部４２は、そのタイミング信号に基づいてアドレス取得部５０を駆動する。
【００９３】
これに応答して、アドレス取得部５０は、電力送信回路５４を駆動させてＵＨＦ帯域の駆動信号を生成して、店頭に設置されている店内位置情報出力装置１０４に送信する。なお、この店頭に設置されている店内位置情報出力装置１０４は、店ＩＤコードとして（ＩＤｒ）を、また店内位置情報として（Ｘｒ０，Ｙｒ０，Ｚｒ０）を、記憶部２８に予め登録している。駆動信号の送信に応答して、アドレス取得部５０は、店頭に設置されている店内位置情報出力装置１０４から店ＩＤコードと店内位置情報とが送信されてくるまで、待機状態となる。なお、このとき、アドレス取得部５０は、タイマー５１を始動させて時間を測定する。そして、アドレス取得部５０は、一定期間、店頭に設置されている店内位置情報出力装置１０４から店ＩＤコードと店内位置情報とが送信されてこない場合に、タイマー５１がオフとなって、待機状態を解除する。この解除に応答して、アドレス取得部５０は、再び、電力送信回路５４を駆動させてＵＨＦ帯域の駆動信号を生成して、店頭に設置されている店内位置情報出力装置１０４または最寄りの店内位置情報出力装置１０４に送信する。
【００９４】
以後、アドレス取得部５０は、店頭に設置されている店内位置情報出力装置１０４または最寄りの店内位置情報出力装置１０４から店ＩＤコードと店内位置情報とが送信されてくるまで、同様の動作を繰り返す。
【００９５】
店頭に設置されている店内位置情報出力装置１０４は、送受信アンテナ２２を介して情報端末３０ｂからＵＨＦ帯域の駆動信号を受信する。この受信に応答して、店内位置情報出力装置１０４の整流電圧制御回路２３は、駆動信号により電源電圧を生成してＩＣチップ２４に供給し、ＩＣチップ２４を活性化する。ＩＣチップ２４は、供給される電源電圧が安定すると、記憶部２８に予め登録されている店ＩＤコード（ＩＤｒ）と店内位置情報（Ｘｒ０，Ｙｒ０，Ｚｒ０）とをＵＨＦ帯域の電波信号に変調し、送受信アンテナ２２を介して情報端末３０ｂに送信する。
【００９６】
情報端末３０ｂは、送受信アンテナ３８を介して、店頭に設置されている店内位置情報出力装置１０４から送信されたＵＨＦ帯域の電波信号を受信する。この受信に応答して、情報端末３０ｂのアドレス取得部５０は、入力データ復調回路５６とＳ／Ｐ変換回路５８とによって、受信したＵＨＦ帯域の電波信号から店ＩＤコード（ＩＤｒ）と店内位置情報（Ｘｒ０，Ｙｒ０，Ｚｒ０）とを取得し、取得した店ＩＤコード（ＩＤｒ）と店内位置情報（Ｘｒ０，Ｙｒ０，Ｚｒ０）とを制御部４２に出力する。
【００９７】
これに応答して、情報端末３０ｂの制御部４２は、記憶部４６の見取り図情報保存領域４７ｂから店ＩＤコード（ＩＤｓ）を読み出すとともに、記憶部４６の情報コンテンツ保存領域４７ａから店内位置情報（Ｘｓ，Ｙｓ，Ｚｓ）を読み出す。そして、制御部４２は、サーバ１０ａから取得した店ＩＤコード（ＩＤｓ）と店内位置情報出力装置１０４から取得した店ＩＤコード（ＩＤｒ）と比較する。
【００９８】
店ＩＤコードが一致すると判断された場合に、制御部４２は、情報検索者が入店したと判断する。そして、制御部４２は、ガイダンス表示処理を開始する。
【００９９】
以下に、図５を参照して、ガイダンス表示処理につき説明する。図５は、実施例２の説明図である。
【０１００】
図５に示す例では、情報検索者の周囲には、３つの本棚１０２が設置されており、各本棚１０２の上には、それぞれ、店内位置情報出力装置１０４が設置されている。各店内位置情報出力装置１０４は、それぞれ、固有の店内位置座標を登録している。各店内位置情報出力装置１０４は、それぞれ、情報端末３０ｂから駆動信号を受信すると、これに応じて、店ＩＤコード（ＩＤｒ）とそれぞれに固有の店内位置座標（Ｘｒ，Ｙｒ，Ｚｒ）とを情報端末３０ｂに送信する。なお、図５に示す例では、ＲＦＩＤ１、ＲＦＩＤ２、ＲＦＩＤｎという符号が付された３つの店内位置情報出力装置１０４は、それぞれが、固有の店内位置座標（２，１，１）または（２，１，２）または（２，１０，１）を登録している。そして、３つの中のＲＦＩＤ１という符号が付された店内位置情報出力装置１０４が、店内位置座標（２，１，１）を情報端末３０ｂに送信している。なお、情報検索者の希望商品１０６は、店内位置情報出力装置ＲＦＩＤｎが設置された本棚１０２に収納されている。
【０１０１】
ガイダンス表示処理では、制御部４２は、サーバ１０ａから取得した希望商品の陳列位置（Ｘｓ，Ｙｓ，Ｚｓ）と店内位置情報出力装置１０４から取得した店内位置情報（Ｘｒ，Ｙｒ，Ｚｒ）とを比較することにより、情報検索者の現在位置から希望商品の陳列位置までのベクトルを算出して、情報検索者を希望商品の陳列位置に誘導するガイダンスを表示部３６に表示する。
【０１０２】
例えば、希望商品の位置情報が（２，１０，１）でありかつ情報検索者の店内位置情報が（２，１，１）である場合に、情報端末３０ｂは、情報検索者をそのまま真直ぐ進むように誘導するガイダンスを表示する。なお、図５に示す例では、ガイダンスとして、矢印を表示している。このガイダンスは、情報検索者が移動する都度、変化させるとよい。例えば、情報検索者が店内位置情報（２，１，１）から店内位置情報（２，２，１）に移動した場合に、情報端末３０ｂは、希望商品の位置情報（２，１０，１）と店内位置情報（２，１，１）との差分として表示していた矢印を、矢印の方向が希望商品の位置情報（２，１０，１）と店内位置情報（２，２，１）との差分になるように、表示を変更する。このようにして、情報端末３０ｂは、情報検索者の進むべき方向を詳細に誘導する。そして、希望商品の陳列位置（Ｘｓ，Ｙｓ，Ｚｓ）と店内位置情報（Ｘｒ，Ｙｒ，Ｚｒ）との差分が０となった場合に、すなわち、情報検索者が希望商品１０６を収納している本棚１０２の前に来た場合に、情報端末３０ｂは、例えば「この棚にＡ社研究開発２月号がある」旨の文字情報を表示部３６に表示する。これにより、情報検索者は、目の前の棚１０２から希望商品１０６を探すことになる。
【０１０３】
このようにして、情報検索者は、情報端末３０ｂの表示に従って進むことにより、店員の手を煩わすことなく、容易に希望商品の位置まで行くことができる。
【０１０４】
以上の通り、実施例２によれば、店内での情報検索者の現在位置を検出するための店内位置情報出力装置１０４を設置し、情報検索者の現在位置から希望商品の陳列位置までのベクトルに基づいて、情報検索者を希望商品の陳列位置に誘導するガイダンスを情報端末３０ｂに表示する。これにより、情報検索者は、大型量販店などのように商品の売り場が広い場所でも、実施例１よりも容易に、自力で希望商品を探すことができる。そのため、実施例２によれば、希望商品を探すのに要する情報検索者の労力を実施例１よりも軽減するとともに、希望商品を探すのに要する時間を実施例１よりも短縮することができる。
【０１０５】
［実施例３］
＜システムの構成＞
以下に、図６と図７を参照して、実施例３のシステムの構成につき説明する。なお、図６は、実施例３のシステムの構成図である。また、図７は、実施例３の情報端末の内部ブロック図である。
【０１０６】
なお、図６と図７中、実施例２と同様の構成（図３と図４参照）については、同一の符号を付し、それらの重複する説明を省略する。また、実施例２と異なる構成要素については、実施例２と異なる構成についてのみ説明し、実施例２と同様の構成については説明を省略する。
【０１０７】
実施例３は、例えば階段やエレベータ、エスカレータなどのフロア間を移動する移動手段に、フロア間移動手段位置情報出力装置（以下、移動手段情報出力装置と称する）を設置したものである。この移動手段情報出力装置は、店内位置情報出力装置１０４と同様の装置である。なお、図６に示す例では、階段に設置した移動手段情報出力装置に符号１１３を付し、エレベータに設置した移動手段情報出力装置に符号１１５を付している。
【０１０８】
実施例３のサーバ１０ａは、実施例２と同様の構成である。ただし、実施例３のサーバ１０ａは、移動手段の位置情報を見取り図情報の一情報として登録している点で、実施例２のサーバ１０ａと相違する（図６と図３参照）。
【０１０９】
実施例３の情報端末３０ｃは、実施例２の情報端末３０ｂと同様の構成である。ただし、実施例３の情報端末３０ｃは、情報コンテンツ保存領域４７ａと見取り図情報保存領域４７ｂと位置情報保存領域４７ｃに加え、移動手段情報保存領域４７ｄが記憶部４６の内部に設けられている点で、実施例２の情報端末３０ｂと相違する（図７と図４参照）。なお、移動手段情報保存領域４７ｄは、移動手段情報出力装置１１３または１１５から送信される移動手段の位置情報を保存する領域である。
【０１１０】
＜システムの動作＞
以下に、システムの動作につき説明する。
【０１１１】
まず、情報提供者は、実施例２と同様に、商品の在庫情報と見取り図情報をサーバ１０ａに登録する。ただし、このとき、情報提供者は、移動手段の位置情報を見取り図情報の一情報としてサーバ１０ａに登録する。また、情報提供者は、アドレス出力装置２０を店頭の看板や幟などに設置する。
【０１１２】
また、情報提供者は、実施例２と同様に、店内位置情報出力装置１０４を店内の任意の場所に設置する。
【０１１３】
さらに、情報提供者は、移動手段の位置情報を登録している移動手段位置情報出力装置１１３と１１５を、階段やエレベータに、設置する。なお、移動手段位置情報出力装置１１３と１１５は、好ましくは、ＵＨＦ帯域を使用するＲＦＩＤとして構成するとよい。
【０１１４】
一方、情報検索者は、実施例２と同様に、入力部３４から希望商品に関するキーワード（ここでは、「Ａ社研究開発２月号」）を情報端末３０ｃに入力し、その情報端末３０ｃを携帯して、街中を通行する。
【０１１５】
このとき、サーバ１０ａとアドレス出力装置２０と情報端末３０ｃは、実施例２と同様に動作する。これにより、情報端末３０ｃは、サーバ１０ａから、キーワード検索の結果と見取り図情報とを取得し、例えば「○△書店２階２−３棚にＡ社研究開発２月号がある」旨の文字情報と店の内部の見取り図と希望商品の陳列位置とを表示部３６に表示する（図３参照）。なお、このとき情報端末３０ｃが取得したキーワード検索の結果には、店ＩＤコード（ＩＤｓ）と情報検索者の希望商品の陳列位置情報（Ｘｓ，Ｙｓ，Ｚｓ）とが含まれている。情報端末３０ｃの制御部４２は、店ＩＤコード（ＩＤｓ）を見取り図情報保存領域４７ｂに保存し、希望商品の陳列位置情報（Ｘｓ，Ｙｓ，Ｚｓ）を情報コンテンツ保存領域４７ａに保存する。また、情報端末３０ｃの制御部４２は、このとき情報端末３０ｃが取得した見取り図情報を見取り図情報保存領域４７ｂに保存する。また、情報端末３０ｃの制御部４２は、見取り図情報に含まれている移動手段位置情報を移動手段情報保存領域４７ｄに保存する。なお、店ＩＤコード（ＩＤｓ）は、店毎に異なる値に設定されているが、好ましくは、売り場のフロア毎に異なる値に設定されているとよい。
【０１１６】
次に、情報検索者は、実施例２と同様に、情報端末３０ｃを携帯し、表示部３６に例えば「○△書店２階２−３棚にＡ社研究開発２月号がある」旨の文字情報と店の内部の見取り図と希望商品の陳列位置とを表示させた状態で、情報提供者の店（すなわち、「○△書店」という名称の店）に入る。
【０１１７】
このとき、情報端末３０ｃと店内位置情報出力装置１０４は、実施例２と同様に動作する。
【０１１８】
すなわち、情報検索者が店に入ると、情報端末３０ｃの発振器５２は、一定の間隔でタイミング信号を生成し、制御部４２は、そのタイミング信号に基づいてアドレス取得部５０を駆動する。
【０１１９】
これに応答して、アドレス取得部５０は、電力送信回路５４を駆動させてＵＨＦ帯域の駆動信号を生成して、店頭に設置されている店内位置情報出力装置１０４に送信する。この送信に応答して、アドレス取得部５０は、店頭に設置されている店内位置情報出力装置１０４から店ＩＤコードと店内位置情報とが送信されてくるまで、待機状態となる。
【０１２０】
店頭に設置されている店内位置情報出力装置１０４は、送受信アンテナ２２を介して情報端末３０ｃからＵＨＦ帯域の駆動信号を受信する。この受信に応答して、店内位置情報出力装置１０４の整流電圧制御回路２３は、駆動信号により電源電圧を生成してＩＣチップ２４に供給し、ＩＣチップ２４を活性化する。ＩＣチップ２４は、供給される電源電圧が安定すると、記憶部２８に予め登録されている店ＩＤコード（ＩＤｒ）と店内位置情報（Ｘｒ０，Ｙｒ０，Ｚｒ０）とをＵＨＦ帯域の電波信号に変調し、送受信アンテナ２２を介して情報端末３０ｃに送信する。
【０１２１】
情報端末３０ｃは、送受信アンテナ３８を介して、店頭に設置されている店内位置情報出力装置１０４から送信されたＵＨＦ帯域の電波信号を受信する。この受信に応答して、情報端末３０ｃのアドレス取得部５０は、入力データ復調回路５６とＳ／Ｐ変換回路５８とによって、受信したＵＨＦ帯域の電波信号から店ＩＤコード（ＩＤｒ）と店内位置情報（Ｘｒ０，Ｙｒ０，Ｚｒ０）とを取得し、取得した店ＩＤコード（ＩＤｒ）と店内位置情報（Ｘｒ０，Ｙｒ０，Ｚｒ０）とを制御部４２に出力する。
【０１２２】
これに応答して、情報端末３０ｃの制御部４２は、記憶部４６の見取り図情報保存領域４７ｂから店ＩＤコード（ＩＤｓ）を読み出すとともに、記憶部４６の情報コンテンツ保存領域４７ａから店内位置情報（Ｘｓ，Ｙｓ，Ｚｓ）を読み出す。そして、制御部４２は、サーバ１０ａから取得した店ＩＤコード（ＩＤｓ）と店内位置情報出力装置１０４から取得した店ＩＤコード（ＩＤｒ）と比較する。
【０１２３】
店ＩＤコードが一致すると判断された場合に、制御部４２は、情報検索者が入店したと判断する。そして、制御部４２は、ガイダンス表示処理を開始する。
【０１２４】
なお、実施例３のガイダンス表示処理は、実施例２とのガイダンス表示処理と相違している。以下に、図８を参照して、ガイダンス表示処理につき説明する。図８は、実施例３の説明図である。
【０１２５】
図８に示す例では、情報検索者の周囲には、３つの本棚１０２が設置されており、各本棚１０２の上には、それぞれ、店内位置情報出力装置１０４が設置されている。各店内位置情報出力装置１０４は、それぞれ、固有の店内位置座標を登録している。各店内位置情報出力装置１０４は、それぞれ、情報端末３０ｃから駆動信号を受信すると、これに応じて、店ＩＤコード（ＩＤｒ）とそれぞれに固有の店内位置座標（Ｘｒ，Ｙｒ，Ｚｒ）とを情報端末３０ｃに送信する。なお、図８に示す例では、ＲＦＩＤ１、ＲＦＩＤ２、ＲＦＩＤｎという符号が付された３つの店内位置情報出力装置１０４は、それぞれが、固有の店内位置座標（２，１，１）または（２，１，２）または（２，１０，１）を登録している。そして、３つの中のＲＦＩＤ１という符号が付された店内位置情報出力装置１０４が、店内位置座標（２，１，１）を情報端末３０ｃに送信している。なお、情報検索者の希望商品は、このフロアの本棚１０２には収納されていない。
【０１２６】
また、図８に示す例では、情報検索者がいるフロアには、他のフロアへの移動手段として、階段１１２とエレベータ１１４とが設置されており、階段１１２にはＲＦＩＤＵＰという符号が付された移動手段情報出力装置１１３が設置され、エレベータ１１４にはＲＦＩＤＥＬという符号が付された移動手段情報出力装置１１５が設置されている。
【０１２７】
ガイダンス表示処理では、制御部４２は、サーバ１０ａから取得した希望商品の陳列位置（Ｘｓ，Ｙｓ，Ｚｓ）と店内位置情報出力装置１０４から取得した店内位置情報（Ｘｒ，Ｙｒ，Ｚｒ）とを比較することにより、情報検索者の現在位置から希望商品の陳列位置までのベクトルを算出して、情報検索者を希望商品の陳列位置に誘導するガイダンスを表示部３６に表示する。
【０１２８】
このとき、制御部４２は、まず、希望商品の陳列位置のＺ軸情報（Ｚｓ）と情報検索者の現在位置のＺ軸情報（Ｚｒ０）とを比較する。
【０１２９】
一致すると判断された場合に、制御部４２は、希望商品の陳列位置が情報検索者の現在位置と同一フロアにあるものと判断し、実施例２と同様のガイダンス表示処理を行う。
【０１３０】
他方、一致しないと判断された場合に、制御部４２は、希望商品の陳列位置が情報検索者の現在位置と異なるフロアにあるものと判断し、実施例２とは異なるガイダンス表示処理を行う。
【０１３１】
すなわち、制御部４２は、移動手段情報保存領域４７ｄに保存された移動手段位置情報を読み出し、移動手段（すなわち、階段１１２とエレベータ１１４）の位置を特定する。そして、制御部４２は、「移動手段の利用を要請する」旨の文字情報を表示部３６に表示する。例えば、図６に示すように、制御部４２は、「『階段』ｏｒ『エレベータ』、どちらを使いますか？」と表示部３６に表示する。これにより、情報検索者は、いずれかの移動手段を利用することになる。なお、図６に示す例では、情報検索者が『階段』または『エレベータ』の表示位置に指などを触れることにより、いずれかの移動手段を選択することができる。ここで、情報検索者がいずれかの移動手段を選択した場合は、制御部４２は、情報検索者を選択された移動手段まで誘導するガイダンスを表示部３６に表示する。なお、図８に示す例では、ガイダンスとして、矢印を表示している。このとき、制御部４２は、情報検索者が移動する都度、最寄りの店内位置情報出力装置１０４から情報検索者の現在位置情報を取得する。そして、制御部４２は、情報検索者が移動する都度、選択された移動手段の位置と情報検索者の現在位置との差分に基づいて、このガイダンスを変化させる。情報検索者は、このガイダンスにしたがって、選択された移動手段まで行くことになる。
【０１３２】
制御部４２は、情報検索者が選択された移動手段に到達したときに、「上のフロアに行く」または「下のフロアに行く」旨の文字情報を表示部３６に表示する。このとき、制御部４２は、希望商品の陳列位置のＺ軸情報（Ｚｓ）が情報検索者の現在位置のＺ軸情報（Ｚｒ０）よりも大きければ、「上のフロアに行く」旨の文字情報を表示部３６に表示し、希望商品の陳列位置のＺ軸情報（Ｚｓ）が情報検索者の現在位置のＺ軸情報（Ｚｒ０）よりも小さければ、「下のフロアに行く」旨の文字情報を表示部３６に表示する。情報検索者は、このガイダンスにしたがって、上のフロアまたは下のフロアに行くことになる。
【０１３３】
制御部４２は、情報検索者がフロアを移動する都度、そのフロアに設置された移動手段情報出力装置１１３または１１５から店内位置情報を取得する。そして、制御部４２は、希望商品の陳列位置のＺ軸情報（Ｚｓ）と移動手段情報出力装置１１３または１１５から取得した情報検索者の現在位置のＺ軸情報（Ｚｒ０）とを比較する。
【０１３４】
この比較により、希望商品の陳列位置のＺ軸情報（Ｚｓ）が情報検索者の現在位置のＺ軸情報（Ｚｒ０）に等しいと判断された場合に、制御部４２は、情報検索者が希望商品を陳列しているフロアに到達したと判断する。この場合に、制御部４２は、「このフロアにＡ社研究開発２月号がある」旨の文字情報を表示部３６に表示する。情報検索者は、このガイダンスにしたがって、このフロアで希望商品を探すことになる。
【０１３５】
また、この比較により、希望商品の陳列位置のＺ軸情報（Ｚｓ）が情報検索者の現在位置のＺ軸情報（Ｚｒ０）よりも大きいと判断された場合に、制御部４２は、情報検索者が希望商品を陳列しているフロアよりも下のフロアにいると判断する。この場合に、制御部４２は、「上のフロアに行く」旨の文字情報を表示部３６に表示する。
【０１３６】
また、この比較により、希望商品の陳列位置のＺ軸情報（Ｚｓ）が情報検索者の現在位置のＺ軸情報（Ｚｒ０）よりも小さいと判断された場合に、制御部４２は、情報検索者が希望商品を陳列しているフロアよりも上のフロアにいると判断する。この場合に、制御部４２は、「下のフロアに行く」旨の文字情報を表示部３６に表示する。
【０１３７】
情報検索者は、これらのガイダンスにしたがって、希望商品を陳列しているフロアに達するまで移動手段を利用することになる。
【０１３８】
情報検索者が希望商品を陳列しているフロアに到達した場合に、すなわち、希望商品の陳列位置のＺ軸情報（Ｚｓ）が情報検索者の現在位置のＺ軸情報（Ｚｒ０）に等しいと判断された場合に、制御部４２は、前述の通り、「このフロアにＡ社研究開発２月号がある」旨の文字情報を表示部３６に表示する。この後、制御部４２は、実施例２と同様のガイダンス表示処理を行って、情報検索者を希望商品の陳列位置に誘導する。
【０１３９】
このようにして、情報検索者は、情報端末３０ｃの表示にしたがって進むことにより、店員の手を煩わすことなく、移動手段を利用してフロアを移動した後、容易に希望商品の位置まで行くことができる。
【０１４０】
以上の通り、実施例３によれば、実施例２に加え、階段１１２やエレベータ１１４などの移動手段の位置を検出するための移動手段情報出力装置１１３と１１５を設置し、情報検索者をフロア間の移動手段に誘導するガイダンスを情報端末３０ｃに表示する。これにより、情報検索者は、大型量販店などのように商品の売り場が広い場所でも、実施例２よりも容易に、フロア間を移動して、希望商品を陳列しているフロアに到達することができる。そのため、実施例３によれば、希望商品を探すのに要する情報検索者の労力を実施例２よりも軽減するとともに、希望商品を探すのに要する時間を実施例２よりも短縮することができる。
【０１４１】
［実施例４］
＜システムの構成＞
以下に、図９と図１０を参照して、実施例４のシステムの構成につき説明する。なお、図９は、実施例４のシステムの構成図である。また、図１０は、実施例４の情報端末の内部ブロック図である。
【０１４２】
なお、図９と図１０中、実施例３と同様の構成（図６と図７参照）については、同一の符号を付し、それらの重複する説明を省略する。また、実施例３と異なる構成要素については、実施例３と異なる構成についてのみ説明し、実施例３と同様の構成については説明を省略する。
【０１４３】
実施例３では、情報端末３０ｃは、一定間隔で、アドレス出力装置２０や、店内位置情報出力装置１０４、移動手段情報出力装置１１３または１１５（以下、これらを総称して情報出力装置と称する）に、駆動信号を送信している。そのため、情報端末３０ｃは、情報検索者が移動していない場合でも、無駄に電力を消費している。
【０１４４】
また、情報端末３０ｃは、店の外にある情報出力装置２０と、店内にある情報出力装置１０４，１１３，および１１５とを、区別することなく、同等の電力で、駆動信号を、送信している。しかしながら、店内にある情報出力装置１０４，１１３，および１１５は、店の外にある情報出力装置２０よりも少ない電力の駆動信号で駆動させることができる。そのため、情報端末３０ｃは、店内にある情報出力装置１０４，１１３，または１１５に駆動信号を送信する場合に、無駄に電力を消費している。
【０１４５】
これに対して、実施例４の情報端末３０ｄは、情報検索者の移動に応じて、情報出力装置２０，１０４，１１３，または１１５に駆動信号を送信する。このような情報端末３０ｄは、情報出力装置２０，１０４，１１３，または１１５への駆動信号の送信回数を低減する。したがって、情報端末３０ｄは、電力の無駄な消費を低減することができる。
【０１４６】
また、情報端末３０ｄは、情報端末３０ｄが店内にある場合に、大電力から小電力に切り替えて、情報出力装置１０４，１１３，または１１５に駆動信号を送信する。このような情報端末３０ｄは、情報出力装置１０４，１１３，または１１５への駆動信号の送信電力を低減する。したがって、情報端末３０ｄは、電力の無駄な消費を低減することができる。
【０１４７】
実施例４のサーバ１０ａは、実施例３と同様の構成である。
【０１４８】
実施例４の情報端末３０ｄは、実施例３の情報端末３０ｃと同様の構成である。ただし、実施例４の情報端末３０ｄは、（１）動き検出部４９を有している点、（２）制御部４２に情報端末３０ｄの位置を検出する位置検出部としての機能を持たせている点、および、（３）情報の送信電力を小電力または大電力に切り替える電力切り替えスイッチ５３を有している点で、実施例３の情報端末３０ｃと相違する（図１０と図７参照）。なお、動き検出部４９は、例えば万歩計（登録商標）と同様に、縦ゆれを検出する。また、制御部４２は、位置検出部として、情報端末３０ｄの位置が店の外にあるのか、または、店の内にあるのかを検出する。また、電力切り替えスイッチ５３は、制御部４２によって情報端末３０ｄの位置が店の外にあると検出された場合に、大電力で駆動信号を情報出力装置２０に送信するように回路を切り替える。これにより、アドレス取得部５０の電力送信回路５４は、大電力で情報出力装置２０に駆動信号を送信する。他方、電力切り替えスイッチ５３は、制御部４２によって情報端末３０ｄの位置が店の内にあると検出された場合に、小電力で情報出力装置１０４，１１３，または１１５に駆動信号を送信するように回路を切り替える。これにより、アドレス取得部５０の電力送信回路５４は、小電力で情報出力装置１０４，１１３，または１１５に駆動信号を送信する。
【０１４９】
＜システムの動作＞
以下に、システムの動作につき説明する。
【０１５０】
情報提供者は、実施例３と同様に、動作する。すなわち、情報提供者は、商品の在庫情報と見取り図情報をサーバ１０ａに登録する。このとき、情報提供者は、移動手段の位置情報を見取り図情報の一情報としてサーバ１０ａに登録する。また、情報提供者は、アドレス出力装置２０を店頭の看板や幟などに設置する。また、情報提供者は、店内位置情報出力装置１０４を店内の任意の場所に設置する。また、情報提供者は、移動手段位置情報出力装置１１３と１１５を階段やエレベータに設置する。
【０１５１】
一方、情報検索者は、入力部３４から希望商品に関するキーワード（ここでは、「Ａ社研究開発２月号」）および駆動信号を送信する間隔を情報端末３０ｄに入力し、その情報端末３０ｄを携帯して、街中を通行する。なお、ここでは、情報検索者は、駆動信号を送信する間隔として、「５歩毎」と入力したものとする。この駆動信号を送信する間隔は、例えば位置情報保存領域４７ｃに保存される。
【０１５２】
情報検索者が街中を通行することにより、サーバ１０ａとアドレス出力装置２０と情報端末３０ｄは、実施例３と同様に動作する。ただし、このとき、情報端末３０ｄは、動き検出部４９によって、情報検索者の歩数を検出する。動き検出部４９は、歩数を検出する都度、制御部４２に出力する。制御部４２は、位置情報保存領域４７ｃから駆動信号を送信する間隔（ここでは、「５歩毎」）を読み出し、検出した歩数が駆動信号を送信する間隔に達する都度、アドレス取得部５０を駆動させる。また、このとき、制御部４２は、情報端末３０ｄの位置が店の外にあると検出する。この場合に、アドレス取得部５０の電力切り替えスイッチ５３は、大電力で駆動信号を情報出力装置２０に送信するように回路を切り替える。これにより、アドレス取得部５０の電力送信回路５４は、大電力で情報出力装置２０に駆動信号を送信する。このようにして、情報端末３０ｄは、アドレス出力装置２０への駆動信号の送信回数を低減しつつ、アドレス出力装置２０から情報提供者のネットワークアドレスを取得する。そして、情報端末３０ｄは、アドレス出力装置２０から取得した情報提供者のネットワークアドレスと情報端末３０ｄに登録された希望商品に関するキーワードに基づいて、サーバ１０ａにキーワード検索を行わせる。これにより、情報端末３０ｄは、サーバ１０ａから、キーワード検索の結果と見取り図情報とを取得し、例えば「○△書店２階２−３棚にＡ社研究開発２月号がある」旨の文字情報と店の内部の見取り図と希望商品の陳列位置とを表示部３６に表示する。
【０１５３】
次に、情報検索者は、実施例３と同様に、情報端末３０ｄを携帯し、表示部３６に例えば「○△書店２階２−３棚にＡ社研究開発２月号がある」旨の文字情報と店の内部の見取り図と希望商品の陳列位置とを表示させた状態で、情報提供者の店（すなわち、「○△書店」という名称の店）に入る。
【０１５４】
このとき、情報端末３０ｄ、および、店内位置情報出力装置１０４または移動手段情報出力装置１１３または１１５（以下、情報出力装置１０４，１１３，または１１５と称する）は、実施例３と同様に動作する。ただし、このとき、情報端末３０ｄは、動き検出部４９によって、情報検索者の歩数を検出する。動き検出部４９は、歩数を検出する都度、制御部４２に出力する。制御部４２は、位置情報保存領域４７ｃから駆動信号を送信する間隔（ここでは、「５歩毎」）を読み出し、検出した歩数が駆動信号を送信する間隔に達する都度、アドレス取得部５０を駆動させる。また、このとき、制御部４２は、情報端末３０ｄの位置が店の内にあると検出する。この場合に、アドレス取得部５０の電力切り替えスイッチ５３は、小電力で駆動信号を情報出力装置１０４，１１３，または１１５に送信するように回路を切り替える。これにより、アドレス取得部５０の電力送信回路５４は、小電力で情報出力装置１０４，１１３，または１１５に駆動信号を送信する。このようにして、情報端末３０ｄは、情報出力装置１０４，１１３，または１１５への駆動信号の送信回数を低減しつつ、さらには、情報出力装置１０４，１１３，または１１５への駆動信号の送信電力を低減しつつ、情報出力装置１０４，１１３，または１１５から現在位置情報または移動手段位置情報を取得する。
【０１５５】
そして、実施例４の情報端末３０ｄは、実施例３と同様のガイダンス表示処理を行って、情報検索者を希望商品の陳列位置に誘導する。
【０１５６】
なお、図１１と図１２は、実施例４の説明図である。
【０１５７】
図１１と図１２に示す例では、情報検索者の周囲には、３つの本棚１０２が設置されており、各本棚１０２の上には、それぞれ、店内位置情報出力装置１０４が設置されている。また、情報検索者がいるフロアには、他のフロアへの移動手段である階段１１２とエレベータ１１４とが設置されており、それぞれに、移動手段情報出力装置１１３と１１５とが設置されている。
【０１５８】
情報端末３０ｄの制御部４２は、情報検索者が５歩移動する毎に、最寄りの店内位置情報出力装置１０４から現在位置情報または移動手段位置情報を取得する。そして、制御部４２は、希望商品の陳列位置のＺ軸情報（Ｚｓ）と情報検索者の現在位置のＺ軸情報（Ｚｒ０）とを比較する。
【０１５９】
希望商品の陳列位置のＺ軸情報（Ｚｓ）と情報検索者の現在位置のＺ軸情報（Ｚｒ０）とが一致しないと判断された場合に、制御部４２は、情報検索者が希望商品の陳列位置と異なるフロアにいると判断する。
【０１６０】
この場合、制御部４２は、移動手段情報保存領域４７ｄに保存された移動手段位置情報を読み出し、移動手段（すなわち、階段１１２とエレベータ１１４）の位置を特定する。そして、制御部４２は、「移動手段の利用を要請する」旨の文字情報を表示部３６に表示する。ここでは、表示部３６は、『階段』または『エレベータ』のいずれかの移動手段を選択する表示をしたものとする。情報提供者は、この文字情報に基づいて、『階段』または『エレベータ』のいずれかの移動手段を選択する。
【０１６１】
情報提供者がこの文字情報に基づいて『階段』または『エレベータ』のいずれかの移動手段を選択した場合は、制御部４２は、情報検索者を選択された移動手段まで誘導するガイダンスを表示部３６に表示する。
【０１６２】
このとき、制御部４２は、情報検索者が５歩移動する毎に、最寄りの店内位置情報出力装置１０４から情報検索者の現在位置情報を取得する。そして、制御部４２は、情報検索者が５歩移動する毎に、選択された移動手段の位置と情報検索者の現在位置との差分に基づいて、このガイダンスを変化させる。情報検索者は、このガイダンスにしたがって、選択された移動手段まで行くことになる。
【０１６３】
制御部４２は、情報検索者が選択された移動手段に到達したときに、実施例３と同様に、「上のフロアに行く」または「下のフロアに行く」旨の文字情報を表示部３６に表示する。情報検索者は、このガイダンスにしたがって、上のフロアまたは下のフロアに行くことになる。
【０１６４】
制御部４２は、実施例３と同様に、情報検索者がフロアを移動する都度、そのフロアに設置された移動手段情報出力装置１１３または１１５から店内位置情報を取得する。そして、制御部４２は、希望商品の陳列位置のＺ軸情報（Ｚｓ）と移動手段情報出力装置１１３または１１５から取得した情報検索者の現在位置のＺ軸情報（Ｚｒ０）とを比較する。
【０１６５】
この比較により、希望商品の陳列位置のＺ軸情報（Ｚｓ）が情報検索者の現在位置のＺ軸情報（Ｚｒ０）に等しいと判断された場合に、制御部４２は、情報検索者が希望商品を陳列しているフロアに到達したと判断する。この場合に、制御部４２は、「このフロアにＡ社研究開発２月号がある」旨の文字情報を表示部３６に表示する。情報検索者は、このガイダンスにしたがって、このフロアで希望商品を探すことになる。
【０１６６】
また、この比較により、希望商品の陳列位置のＺ軸情報（Ｚｓ）が情報検索者の現在位置のＺ軸情報（Ｚｒ０）よりも大きいと判断された場合に、制御部４２は、情報検索者が希望商品を陳列しているフロアよりも下のフロアにいると判断する。この場合に、制御部４２は、「上のフロアに行く」旨の文字情報を表示部３６に表示する。
【０１６７】
また、この比較により、希望商品の陳列位置のＺ軸情報（Ｚｓ）が情報検索者の現在位置のＺ軸情報（Ｚｒ０）よりも小さいと判断された場合に、制御部４２は、情報検索者が希望商品を陳列しているフロアよりも上のフロアにいると判断する。この場合に、制御部４２は、「下のフロアに行く」旨の文字情報を表示部３６に表示する。
【０１６８】
情報検索者は、これらのガイダンスにしたがって、希望商品を陳列しているフロアに達するまで移動手段を利用することになる。
【０１６９】
情報検索者が希望商品を陳列しているフロアに到達した場合に、すなわち、希望商品の陳列位置のＺ軸情報（Ｚｓ）が情報検索者の現在位置のＺ軸情報（Ｚｒ０）に等しいと判断された場合に、制御部４２は、前述の通り、「このフロアにＡ社研究開発２月号がある」旨の文字情報を表示部３６に表示する。この後、制御部４２は、実施例３と同様のガイダンス表示処理を行って、情報検索者を希望商品の陳列位置に誘導する。
【０１７０】
このようにして、情報検索者は、情報端末３０ｄの表示に従って進むことにより、店員の手を煩わすことなく、移動手段を利用してフロアを移動した後、容易に希望商品の位置まで行くことができる。
【０１７１】
以上の通り、実施例４の情報端末３０ｄは、情報検索者の移動に応じて、情報出力装置２０，１０４，１１３，または１１５に駆動信号を送信する。このような情報端末３０ｄは、情報出力装置２０，１０４，１１３，または１１５への駆動信号の送信回数を低減する。したがって、情報端末３０ｄは、情報提供者からの情報を取得するタイミングを最適化することができ、電力の無駄な消費を低減することができる。
【０１７２】
また、情報端末３０ｄは、情報端末３０ｄが店内にある場合に、大電力から小電力に切り替えて、情報出力装置１０４，１１３，または１１５に駆動信号を送信する。このような情報端末３０ｄは、情報出力装置１０４，１１３，または１１５への駆動信号の送信電力を低減する。したがって、情報端末３０ｄは、更なる電力の無駄な消費を低減することができる。
【０１７３】
なお、この発明は、以下の実施例に限定されることなく、この発明の要旨を逸脱しない範囲で種々の変更や変形を行うことができる。
【０１７４】
例えば、キーワード検索時において、情報検索者の希望商品が１〜Ｎ番目に近い店の在庫情報に在庫として登録されていなければ、サーバ１０は、照合を中止し、その結果を情報端末３０に送信するようにしてもよい。これに応答して、情報端末３０の制御部４２は、通知部４４に通知の開始を指示する。この場合、通知部４４は、「周囲の店にはＡ社研究開発２月号がない」旨を表示部３６に表示することになる。
【図面の簡単な説明】
【０１７５】
【図１】実施例１のシステムの構成図である。
【図２】実施例１の情報端末の内部ブロック図である。
【図３】実施例２のシステムの構成図である。
【図４】実施例２の情報端末の内部ブロック図である。
【図５】実施例２の説明図である。
【図６】実施例３のシステムの構成図である。
【図７】実施例３の情報端末の内部ブロック図である。
【図８】実施例３の説明図である。
【図９】実施例４のシステムの構成図である。
【図１０】実施例４の情報端末の内部ブロック図である。
【図１１】実施例４の説明図（１）である。
【図１２】実施例４の説明図（２）である。
【図１３】従来例のシステムの構成図である。
【図１４】従来例の情報端末の内部ブロック図である。
【符号の説明】
【０１７６】
１０ａ    …情報提供装置（サーバ）
１２    …制御部（情報提供部）
１４    …通信部
１６    …記憶部（ＨＤＤ，ＲＡＭ）
２０    …情報提供者アドレス出力装置（アドレス出力装置）
２２    …送受信アンテナ
２３    …整流電圧制御回路
２４    …ＩＣチップ
２５    …制御部
２６    …変調回路
２８    …記憶部（ＲＯＭ）
３０ａ    …情報収集端末装置（情報端末）
３６    …表示部
６０    …基地局
７０    …ネットワーク
【図１】
2007084283.tif 000003
【図２】
2007084283.tif 000004
【図３】
2007084283.tif 000005
【図４】
2007084283.tif 000006
【図５】
2007084283.tif 000007
【図６】
2007084283.tif 000008
【図７】
2007084283.tif 000009
【図８】
2007084283.tif 000010
【図９】
2007084283.tif 000011
【図１０】
2007084283.tif 000012
【図１１】
2007084283.tif 000013
【図１２】
2007084283.tif 000014
【図１３】
2007084283.tif 000015
【図１４】
2007084283.tif 000016